(57)【特許請求の範囲】
【請求項１】
マルチビットのデジタルデータに対応する所定のレベル値としてのデータシンボルが定められたマッピングテーブルにより、マルチビットのデジタルデータをデータシンボルにマッピングするシンボルマッピング部と、
前記データシンボルと異なるレベルを有する同期シンボルを生成する同期生成部と、
前記データシンボルと同期シンボルを多重化して、データセグメントを生成するマルチプレクサと、
前記データセグメントをアナログ信号に変換して出力するデジタル−アナログ（ＤＡ）変換部と、
前記アナログ信号を変調して、変調された信号を送信する無線送信機とを備えていることを特徴とする無線送信装置。
【請求項２】
前記シンボルマッピング部が、
前記マッピングテーブルにより、前記マルチビットのデジタルデータをデータシンボルにマッピングするシンボルマッパーと、
前記入力データシンボルを書き込み、読み出し、また、前記マルチプレクサに提供するバッファと、
前記バッファに前記データシンボルを受信するためのライトクロックを提供するクロック分周器と、
前記バッファに書き込まれたデータシンボルを読み出して出力するためのリードクロックを前記バッファに提供し、また、前記データセグメントのうち同期シンボルが挿入されるべき区間が検出されるごとに、前記リードクロックの提供を止めるクロックゲート部とからなることを特徴とする請求項１記載の無線送信装置。
【請求項３】
無線送信するためのビットストリームをマルチビットのデジタルデータに変換し、前記シンボルマッピング部のシンボルマッパーに提供する直列−並列変換部をさらに備えていることを特徴とする請求項２記載の無線送信装置。
【請求項４】
前記直列−並列変換部と前記シンボルマッピング部との間に連結され、前記マルチビットの並列データをランダム化するランダム化部を備えていることを特徴とする請求項３記載の無線送信装置。
【請求項５】
前記データセグメントは少なくとも１つの同期シンボルと少なくとも１つのデータシンボルからなることを特徴とする請求項１記載の無線送信装置。
【請求項６】
無線信号を受信して、データシンボル及び前記データシンボルと異なるレベルを有する同期シンボルで構成されたデータセグメントを含むアナログ信号に復調する無線受信機と、
前記アナログ信号をデジタル信号に変換するアナログ−デジタル（ＡＤ）変換部と、
前記デジタル信号から同期信号を抽出する同期検出部と、
前記同期信号に基づいてデータシンボルの位置を検出して、前記データシンボルの位置にリードクロックを生成するクロック再生部と、
前記リードクロックが提供されるときに、マルチビットのデジタルデータに対応する所定のレベル値としてのデータシンボルが定められたマッピングテーブルにより、前記ＡＤ変換部から出力されたデジタル信号をマルチビットのデジタルデータに逆シンボルマッピングする逆シンボルマッピング部とを備えていることを特徴とする無線受信装置。
【請求項７】
前記逆シンボルマッピング部から出力されたマルチビットのデジタルデータを直列データに変換して出力する並列−直列変換部をさらに備えていることを特徴とする請求項６記載の無線受信装置。
【請求項８】
前記シンボルマッピング部が、
前記ＡＤ変換部が受信したデジタル信号のうち、データシンボルのみを前記リードクロックにより格納するバッファと、
前記マッピングテーブルにより、前記データシンボルをマルチビットのデジタルデータに逆シンボルマッピングする逆シンボルマッパーとからなることを特徴とする請求項６記載の無線受信装置。
【請求項９】
前記クロック再生部が、
前記同期信号に基づいて基準クロックを生成するＰＬＬ部と、
前記基準クロックを分割して、前記バッファに提供するライトクロックとリードクロックを生成し、前記リードクロックを前記バッファに提供するクロック分周器と、
前記同期検出部が同期信号を検出しないときは、受信した前記ライトクロックを前記バッファに提供し、同期信号を検出するときは、前記ライトクロックを前記バッファに提供しないクロックゲート部とからなることを特徴とする請求項６記載の無線受信装置。
【請求項１０】
前記クロック再生部が、
前記同期信号に基づいて基準クロックを生成するＰＬＬ部と、
前記基準クロックを分割して、前記バッファに提供するライトクロックとリードクロックを生成し、前記リードクロックを前記バッファに提供するクロック分周器と、
前記ＡＤ変換部の出力レベルが前記データシンボルのレベルに相等するときは、受信した前記ライトクロックを前記バッファに提供し、前記ＡＤ変換部の出力レベルが前記同期シンボルのレベルに相等するときは、前記ライトクロックを前記バッファに提供しないクロックゲート部とからなることを特徴とする請求項６記載 の無線受信装置。
【請求項１１】
前記逆シンボルマッピング部と並列−直列変換部との間に連結され、前記逆シンボルマッピング部から出力されたマルチビットのデジタルデータを逆ランダム化する逆ランダム化部を備えていることを特徴とする請求項８記載の無線受信装置。
【請求項１２】
（ａ）マルチビットのデジタルデータに対応する所定のレベル値としてのデータシンボルが定められたマッピングテーブルにより、マルチビットのデジタルデータをデータシンボルとしてマッピングする段階と、
（ｂ）前記データシンボルと異なるレベルを有する同期シンボルを生成する段階と、
（ｃ）前記データシンボルと同期シンボルを多重化して、データセグメントを生成する段階と、
（ｄ）前記データセグメントをアナログ信号に変換して出力する段階と、
（ｅ）前記アナログ信号を変調して無線で送信する段階とを備えていることを特徴とする無線送信方法。
【請求項１３】
（ａ）受信した無線信号をデータシンボル及び前記データシンボルと異なるレベルを有する同期シンボルで構成されたデータセグメントを含むアナログ信号に復元する段階と、
（ｂ）前記アナログ信号をデジタル信号に変換する段階と、
（ｃ）受信した前記デジタル信号のうちデータシンボルのみを抽出する段階と、
（ｄ）マルチビットのデジタルデータに対応する所定のレベル値としてのデータシンボルが定められたマッピングテーブルにより、前記データシンボルをマルチビットのデジタルデータに逆シンボルマッピングして出力する段階とを備えていることを特徴とする無線受信方法。
【発明の詳細な説明】
【技術分野】
【０００１】
本発明は、無線送受信装置に関し、特に、大量のデジタルデータを常用の無線送受信機を利用して送受信する方法及び装置に関するものである。
【背景技術】
【０００２】
アナログ信号を無線で送受信できる赤外線送受信機等の無線送受信機は常用されているものであり、また、小型であり、価格も非常に安価である。
しかしながら、大量のデジタルデータを無線送受信する装置は大変複雑であり、価格も非常に高額なため、一般人が使用するには負担があった。
このため、大量のデジタルデータを無線で送受信することが可能であり、かつ、安価な無線送受信装置の開発が要求されていた。
【０００３】
例を挙げて説明すると、ＰＤＰ（Ｐｌａｓｍａ  Ｄｉｓｐｌａｙ  Ｐａｎｅｌ）やＬＣＤ（Ｌｉｑｕｉｄ  Ｃｒｙｓｔａｌ  Ｄｉｓｐｌａｙ）等のディスプレイ素子を採用する壁掛けテレビジョン受像機は、マルチメディアディスプレイ装置としても活用可能に開発されたものである。
前記壁掛けテレビジョン受像機をマルチメディアディスプレイ装置として活用する場合には、上記壁掛けテレビジョン受像機に多数の信号源を有線で連結しなければならなかった。
これは、壁掛けテレビジョン受像機と多数の信号源間の離隔距離を制限するだけでなく、壁掛けテレビジョンの設置位置を制約する原因となった。また、多数の信号源と壁掛けテレビジョン間に連結された多数の線は壁面の美観を損なう原因となった。
【０００４】
上記問題を解決するために、従来は、壁掛けテレビジョン受像機と多数の信号源間を無線でインターフェースをとる赤外線送受信装置を採用していた。
このような従来の赤外線送受信装置のブロック構成図を示している図１を参照して、従来技術を詳しく説明する。
前記赤外線送受信装置は、信号源側に設けられる送信部１００と壁掛けテレビジョン受像機側に設けられる受信部２００とから構成される。
【０００５】
上記送信部１００の変調器１０２は、信号源から出力するＡＶ（Ａｕｄｉｏ  ａｎｄ  Ｖｉｄｅｏ）信号を入力され、変調することによりリモートコントローラや無線ヘッドフォン等のような赤外線送受信技術を利用する装置との混線を未然に防止する。
また、上記のようにＡＶ信号を変調することにより、太陽光及び蛍光灯等の周囲環境により発生するノイズの影響を最小化して、受信感度を向上させることができる。
【０００６】
前記変調された信号は、発光素子ドライバー１０４に入力され、前記発光素子ドライバー１０４は、発光素子１０６を駆動して入力された信号に対応する赤外線光信号を発生する。
ここで、前記発光素子１０６には、光伝送素子として広く使用されているＬＥＤ（Ｌｉｇｈｔ  Ｅｍｉｔ  Ｄｉｏｄｅ）が採用される。
【０００７】
前記赤外線光信号は、受信部２００の受光素子２０２に受光される。
ここで、前記受光素子２０２には、光伝送素子として広く使用されているフォトダイオードが採用される。
前記受光素子２０２は、受光した赤外線光信号に対応する電気信号を増幅器２０４に提供する。前記増幅器２０４は、前記受光素子２０２が提供する信号を増幅した後に、復調器２０６に提供する。前記復調器２０６は、前記増幅された信号を復調して、ＡＶ信号として壁掛けテレビジョン受像機に提供する。
【０００８】
上記のように、従来の赤外線送受信装置は、信号源と壁掛けテレビジョン受像機間を無線でインターフェースすることにより、壁掛けテレビジョン受像機の設置位置の制約の問題を解消することはもちろん、外観を美麗にすることができた。
さらに、従来の赤外線送受信装置は、電波管理法に抵触しない赤外線光信号を利用することにより、自由に設置して利用することができた。
また、前記赤外線光信号は、障害物を通過することができず、伝送距離が短いため、従来の赤外線送受信装置は、効果的に、保安性を維持することができた。
【０００９】
上述した従来の赤外線送受信装置は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のアナログ信号を伝送するために開発されたものである。
したがって、常用の赤外線送受信装置の伝送帯域は、変調器、高出力のＬＥＤドライバーの特性、フォトダイオード及び復調器等の影響により、ＮＴＳＣ方式の帯域以下に制限されていた。
【００１０】
しかしながら、デジタル技術の発展により、ＰＣ映像信号をはじめ、マルチメディア信号がデジタルデータとして取扱われるようになり、大量のデジタルデータを無線で送受信することが可能であり、かつ、安価な無線送受信装置の開発が要求された。
【００１１】
したがって、本発明の目的は、常用の安価な無線送受信装置を利用して、大量のデジタルデータを無線で送受信できる無線送受信方法及び装置を提供することにある。
【発明の開示】
【００１２】
上述した目的を解決するための本発明に係る無線送信装置は、マルチビットのデジタルデータに対応する所定のレベル値としてのデータシンボルが定められたマッピングテーブルにより、マルチビットのデジタルデータをデータシンボルにマッピングするシンボルマッピング部と、前記データシンボルと異なるレベルを有する同期シンボルを生成する同期生成部と、前記データシンボルと同期シンボルを多重化して、データセグメントを生成するマルチプレクサと、前記データセグメントをアナログ信号に変換して出力するデジタル−アナログ（ＤＡ）変換部と、前記アナログ信号を変調して、変調された信号を送信する無線送信機とを備えていることを特徴とする。
【００１３】
また、本発明に係る無線受信装置は、無線信号を受信して、データシンボル及び前記データシンボルと異なるレベルを有する同期シンボルで構成されたデータセグメントを含むアナログ信号に復調する無線受信機と、前記アナログ信号をデジタル信号に変換するアナログ−デジタル（ＡＤ）変換部と、前記デジタル信号から同期信号を抽出する同期検出部と、前記同期信号に基づいてデータシンボルの位置を検出して、前記データシンボルの位置にリードクロックを生成するクロック再生部と、前記リードクロックが提供されるときに、マルチビットのデジタルデータに対応する所定のレベル値としてのデータシンボルが定められたマッピングテーブルにより、前記ＡＤ変換部から出力されたデジタル信号をマルチビットのデジタルデータに逆シンボルマッピングする逆シンボルマッピング部とを備えていることを特徴とする。
【発明を実施するための最良の形態】
【００１４】
本発明の上記目的及び特徴を、添付図面を参照して、より詳細に説明する。
本発明は、デジタルデータをＡＶ信号のうちの１つであるＮＴＳＣ信号の形態に変換した後、常用の無線送受信機を利用して伝送することにより、安価な無線送受信機でもデジタルデータを無線送受信することを可能とする。
さらに、本発明は、マルチビットのデジタルデータを１つのデータシンボルにマッピングすることにより、制限された伝送帯域を通じて大量のデジタルデータを伝送することを可能とする。
【００１５】
前記データセグメントは、図２のＮＴＳＣビデオ信号の波形形態で表したグラフＡ１に示すように、同期シンボルとデータシンボルとから構成される。
例えば、前記データセグメントは、１０個の同期シンボルと、１００個のデータシンボルとから構成され得る。この場合、１つのデータセグメントを１［Ｈ］と表すと、１［Ｈ］は１１０個のシンボルに対応する。
前記同期シンボルは、データシンボルを抽出するための同期信号を所定のレベル値で表現したもの、即ちシンボル化したものであり、前記データシンボルは、マルチビットのデジタルデータを所定のレベル値にマッピングしたものである。
前記データセグメントは、図２のマッピングテーブルＡ２に示すように０〜１５レベルの１６レベルを有し、前記レベルのうち、０〜５レベルは、同期シンボルを示す同期シンボルレベルであり、６〜１３レベルは、有効なデータシンボルを示すデータシンボルレベルである。
【００１６】
このように、本発明は、同期シンボルレベルとデータシンボルレベルとに差を置くことにより、同期シンボルの抽出を容易にし、しかも、データセグメントの形態をＮＴＳＣ信号の形態と類似にするものである。
ここで、前記データセグメントのレベルは、４ビットのデータ（００００〜１１１１のうちのいずれか１つ）で示すことができる。
【００１７】
前記データシンボルの１つには、３ビットのデジタルデータがマッピングされる。
すなわち、０００〜１１１のデジタルデータは、６〜１３レベルのデータシンボルにそれぞれマッピングされる。これにより、データシンボルレートは、デジタルデータレートの１／３となる。
このように、本発明の好ましい態様においては、３ビットのデジタルデータを１つのデータシンボルにマッピングする８レベルマッピング方法を使用した。
【００１８】
一方、伝送率を高くしようとする場合には、１つのデータシンボルにマッピングされるデジタルデータのビット数を増加させることもできる。
ただし、１つのデータシンボルにマッピングされるデジタルデータのビット数が増加すれば、受信側のＳＮＲ（Ｓｉｇｎａｌ  ｔｏ  Ｎｏｉｓｅ  Ｒａｔｉｏ）が同一である場合であっても、決定レベルが相対的に減少するため、受信側のエラー率が高くなる。
したがって、前記マッピングレベル数は、送受信チャネルのＳＮＲ特性を考慮して、決定することが望ましい。
【００１９】
以下、本発明の好ましい第１の実施態様に係る無線送受信装置について、図３〜図６を参照して説明する。
まず、本発明の好ましい第１の実施態様に係る無線送信装置について、図３に示すブロック構成図を参照して説明する。
信号源から入力されたビットストリームは、データ変換部３００の直列−並列変換部３０２に入力される。前記直列―並列変換部３０２は、第１のクロック分周器３１０が提供するクロックにより直列に入力されるビットストリームを、３ビット単位で並列出力する。
前記３ビット単位で並列出力されるビットストリームは、シンボルマッピング部３０４のシンボルマッパー３０６に入力され、前記シンボルマッパー３０６はマッピングテーブルを参照して、３ビットのビットストリームを１つのデータシンボルにマッピングして出力する。
前記マッピングテーブルは、６〜１３レベルのデータシンボルに０００〜１１１デジタルデータをマッピングさせておいたテーブルである。
【００２０】
バッファである第１のＦＩＦＯ部３１４は、第１のクロック分周器３１０が提供するライトクロックにより、前記データシンボルを順次書き込み、また、リードクロックにより順次読み出して出力する。前記第１のＦＩＦＯ部３１４には、二重非同期ＦＩＦＯが採用され得る。
一方、第１のクロックゲート部３１２は、入力されるクロックのカウントを開始して、そのカウント値が第１の所定値となる時点で、第１のＦＩＦＯ部３１４にリードクロックの提供を開始する。
このような状態で、前記第１のクロックゲート部３１２は、カウント値が第２の所定値になると、リードクロックの提供及びカウンティング動作を止め、そして、再度カウントを開始する。
【００２１】
したがって、第１のクロックゲート部３１２は、全体データセグメントを１［Ｈ］とするとき、全体データセグメントをデータシンボルが占める期間中は、リードクロックを第１のＦＩＦＯ部３１４に提供し、全体データセグメントを同期シンボルが占める期間中は、リードクロックの出力を止める。
すなわち、１１０個のシンボルからなるデータセグメントのうち、データシンボルが１００個、同期シンボルが１０個であれば、前記第１のクロックゲート部３１２は、下記の（１）式によるデータシンボルの期間中は、リードクロックを出力し、下記の（２）式による同期シンボルの期間中は、リードクロックの出力を止める。
データシンボル期間＝１［Ｈ］×（１００／１１０）        ……（１）
同期シンボル期間＝１［Ｈ］×（１０／１１０）            ……（２）
【００２２】
これにより、第１のＦＩＦＯ部３１４は、前記リードクロックにより、データセグメントのうちデータシンボルが位置する部分でのみデータシンボルを読み出して、マルチプレクサ３１８に提供する。
また、同期生成部３１６はデータセグメントの同期を示す同期シンボルを生成して、マルチプレクサ３１８に提供する。
前記マルチプレクサ３１８は、データシンボルと同期シンボルを多重化して、１つのデータセグメントを生成する。
【００２３】
このように生成されたデータセグメントは、ＤＡ（Ｄｉｇｉｔａｌ  ｔｏ  Ａｎａｌｏｇ）変換部３２０に入力され、前記ＤＡ変換部３２０は入力されたデータセグメントをアナログ信号に変換して、ＦＭ（Ｆｒｅｑｕｅｎｃｙ  Ｍｏｄｕｌａｔｉｏｎ）変調部３２２に提供する。
前記ＦＭ変調部３２２は、入力されたアナログ信号をＦＭ変調して、ドライバー３２４に提供する。前記ドライバー３２４は、変調された信号に対応する赤外線信号（ＩＲ）を発生するように発光素子３２６を駆動する。
このような発光素子３２６とＦＭ変調部３２２は、通常使用されるＡ／Ｖ用赤外線送信機の構成要素をそのまま採用することができる。
【００２４】
このような無線送信装置の動作を、図４を参照して説明する。
直列−並列変換部３０２が提供する並列データは、シンボルマッパー３０６によりデータシンボルに変換される。
前記データシンボルは、第１のＦＩＦＯ部３１４を通じてマルチプレクサ３１８に入力され、マルチプレクサ３１８は、第２の所定値のデータシンボルごとに、第１の所定値の同期シンボルを挿入して、データセグメントを生成する。
前記データセグメントは、ＤＡ変換部３２０を通じてアナログ信号に変換され、ＦＭ変調部３２２に入力される。
【００２５】
本発明の第１の実施態様に係る無線受信装置について、図５に示すブロック構成図を参照して説明する。
受光素子４００は、赤外線信号ＩＲを受信して、電気信号に変換した後に、ＦＭ復調部４０２に提供する。前記ＦＭ復調部４０２は、入力された電気信号を復調して、データ復元部４０４のＡＤ（Ａｎａｌｏｇ  ｔｏ  Ｄｉｇｉｔａｌ）変換部４１６及び同期検出部４０６に入力する。
このような受光素子４００とＦＭ復調部４０２は、通常使用されるＡ／Ｖ用赤外線受信機の構成要素をそのまま採用することができる。
【００２６】
前記同期検出部４０６は、前記ＦＭ復調部４０２の出力信号の同期レベル区間を検出し、それに対応する同期信号を生成して、クロック再生部４０８のＰＬＬ（Ｐｈａｓｅ  Ｌｏｃｋｅｄ  Ｌｏｏｐ）部４１０に提供する。
前記ＰＬＬ部４１０は、前記同期信号により安定した基準クロックを生成して、第２のクロック分周器４１２に提供する。
前記第２のクロック分周器４１２は、前記基準クロックに基づいて多様なクロックを生成して、各部に提供する。
【００２７】
前記ＡＤ変換部４１６は、前記ＦＭ復調部４０２が提供するアナログ信号をデジタルデータに変換して、前記第２のクロック分周器４１２が提供するクロックにより出力する。
ここで、前記ＡＤ変換部４１６は、デジタルデータを４ビットで出力する。
前記４ビットのデジタルデータは、逆シンボルマッピング部４１８の第２のＦＩＦＯ部４２０に提供する。
【００２８】
第２のクロックゲート４１４は、ＡＤ変換部４１６が出力する４ビットデジタルデータを通じて受信信号のレベルを検出し、検出されたレベルがデータシンボルレベルであれば、第２のクロック分周器４１２が提供するライトクロックを、第２のＦＩＦＯ部４２０に提供する。
バッファである第２のＦＩＦＯ部４２０は、前記ライトクロックによりＡＤ変換部４１０が提供する４ビットデジタルデータを書き込み、この４ビットデジタルデータがデータシンボルとなる。
すなわち、受信されたデータセグメントのうちデータシンボルのみが、第２のＦＩＦＯ部４２０に格納される。
【００２９】
前記第２のＦＩＦＯ部４２０に格納されたデータシンボルは、第２のクロック分周器４１２が提供する第２のＦＩＦＯ部４２０のリードクロックにより読み出され、逆シンボルマッパー４２２に提供される。
ここで、前記第２のクロック分周器４１２が出力するリードクロックレートは、ライトクロックレートより低く設定される。これは、データセグメント内に含まれている同期シンボルを除去することにより、読み出されるデータシンボルが、書き込まれるデータシンボルより多くなる現象を適切に補償するためのものである。
【００３０】
前記逆シンボルマッパー４２２は、前記第２のＦＩＦＯ部４２０が提供するデータシンボルをビットストリームに逆シンボルマッピングして、ビットストリームを３ビット単位で並列出力する。
前記３ビット単位で出力されるビットストリームは、並列−直列変換部４２４に入力される。
前記並列−直列変換部４２４は、入力された３ビットの並列ビットストリームを直列に変換して、壁掛けテレビジョン受像機等に提供する。
【００３１】
このような無線受信装置の動作を、図６を参照して説明する。
ＦＭ復調部４０２が提供する復調信号は、ＡＤ変換部４１６に入力される。前記ＡＤ変換部４１６は、入力された信号をデジタルデータに変換して、第２のＦＩＦＯ部４２０に提供する。
このとき、前記ＡＤ変換部４１６から出力されるデータは、同期シンボルとデータシンボルを含んだデータセグメントである。
前記データセグメントのうちデータシンボルのみが、第２のクロックゲート部４１４の制御により、第２のＦＩＦＯ部４２０に格納される。
このように格納されたデータシンボルは、逆シンボルマッパー４２２により逆シンボルマッピングされ、３ビット単位のビットストリームとして並列出力され、このビットストリームは、並列−直列変換部４２４に入力される。
【００３２】
次に、本発明の第２の実施態様に係る無線送受信装置について、図７〜図１０を参照して説明する。
まず、図７を参照して、本発明の第２の実施態様に係る無線送信装置の構成と動作を説明する。
信号源から入力されるビットストリームは、データ変換部５００の直列−並列変換部５０２に入力される。前記直列−並列変換部５０２は、第３のクロック分周器５１６が提供するクロック（Ｆｃｋ）により直列に入力されるビットストリームを３ビット単位で並列出力する。前記３ビットで並列出力されるビットストリームは、ランダム化部５０４に入力される。
【００３３】
前記ランダム化部５０４は、ＤＣカップリング時に不安定化する問題を解決するために、前記ビットストリームをランダム化する。前記ランダム化部５０４は第１〜第３のランダム化部（５０６〜５１０）から構成され、前記直列−並列変換部５０２の３つの出力端にそれぞれ連結される。
前記第１〜第３のランダム化部（５０６〜５１０）の構成は全て同一なので、第１のランダム化部５０６の構成のみを、図８を参照して説明する。
【００３４】
前記第１のランダム化部５０６は、第１〜第３の排他的ＯＲゲート（ＸＯＲ１〜ＸＯＲ３）と、第１〜第１０のＤ−フリップフロップ（Ｄ１〜Ｄ１０）とから構成される。
前記第１のランダム化部５０６は、（３）式及び（４）式により、デジタルデータのランダム化を遂行する。
Ｇ１（Ｘ）＝Ｘ9＋Ｘ4＋１          ……（３）
Ｇ２（Ｘ）＝Ｘ＋１                ……（４）
【００３５】
前記ランダム化部５０４を通じてランダム化された３ビットのビットストリームは、シンボルマッピング部５１２のシンボルマッパー５１４に入力される。前記シンボルマッパー５１４は、マッピングテーブルを参照して、３ビットのビットストリームを１つのデータシンボルにマッピングして出力する。
【００３６】
第３のＦＩＦＯ部５２２は、第１のクロック分周器５１６が提供するライトクロック（Ｆｃｋ／３）により、前記データシンボルを順次書き込み、また、リードクロック（（ｎ／ｍ）Ｆｃｋ／３）により順次読み出して出力する。
前記第３のクロックゲート部５２０は、入力されるクロックのカウントを開始し、そのカウント値が第１の所定値となる時点で、第３のＦＩＦＯ部５２２にリードクロックの提供を開始する。
このような状態で、前記第３のクロックゲート部５２０は、カウント値が第２の所定値になると、リードクロックの提供及びカウンティング動作を止め、そして、再度カウントを開始する。
【００３７】
これにより、第３のＦＩＦＯ部５２２は、前記リードクロックにより、データセグメントのうちデータシンボルが位置する部分でのみデータシンボルを読み出して、マルチプレクサ５２６に提供する。
そして、同期生成部５２４は同期シンボルを生成して、マルチプレクサ５２６に提供する。前記マルチプレクサ５２６は、データシンボルと同期シンボルを多重化して、１つのデータセグメントを生成する。
【００３８】
このように生成されたデータセグメントは、ＤＡ変換部５２８に入力され、前記ＤＡ変換部５２８は入力されたデータセグメントをアナログ信号に変換して、ＦＭ変調部５３０に提供する。
前記ＦＭ変調部５３０は、入力されたアナログ信号をＦＭ変調して、ドライバー５３２に提供する。前記ドライバー５３２は、変調された信号に対応する赤外線信号ＩＲを発生するように発光素子５３４を駆動する。
【００３９】
また、本発明の第２の実施態様に係る無線受信装置について、図９に示すブロック構成図を参照して説明する。
受光素子６００は、赤外線信号（ＩＲ）を受信して、電気信号に変換した後に、ＦＭ復調部６０２に提供する。前記ＦＭ復調部６０２は、入力された電気信号を復調して、データ復元部６０４のＡＤ変換部６１６及び同期検出部６０６に入力する。
このような受光素子６００とＦＭ復調部６０２は、通常使用されるＡ／Ｖ用赤外線受信機の構成要素をそのまま採用することができる。
【００４０】
前記同期検出部６０６は、前記ＦＭ復調部６０２の出力信号の同期レベル区間を検出し、それに対応する同期信号を生成して、クロック再生部６０８のＰＬＬ部６１０に提供する。
前記ＰＬＬ部６１０は、前記同期信号により安定した基準クロック（ｎＦｃｋ）を生成して、第４のクロック分周器６１２に提供する。
前記第４のクロック分周器６１２は、前記基準クロックに基づいて、多様なクロック（Ｆｃｋ、Ｆｃｋ／３、（ｎ／ｍ）Ｆｃｋ／３）を生成して、各部に提供する。
【００４１】
前記ＡＤ変換部６１６は、前記ＦＭ復調部６０２が提供するアナログ信号をデジタルデータに変換して、前記第４のクロック分周器６１２が提供するクロックにより出力する。
ここで、前記ＡＤ変換部６１６は、デジタルデータを４ビットで出力する。前記４ビットのデジタルデータは、逆シンボルマッピング部６１８の第４のＦＩＦＯ部６２０に提供する。
【００４２】
第４のクロックゲート６１４は、同期検出部６０６が同期信号を出力していない間にのみ、第４のクロック分周器６１２が提供するクロック（（ｎ／ｍ）Ｆｃｋ／３）をライトクロックとして、第４のＦＩＦＯ部６２０に提供する。
前記第４のＦＩＦＯ部６２０は、前記ライトクロックにより、ＡＤ変換部６１０が提供する４ビットデジタルデータを書き込み、この４ビットデジタルデータがデータシンボルとなる。
すなわち、受信されたデータセグメントのうちデータシンボルのみが、第４のＦＩＦＯ部６２０に格納される。前記第４のＦＩＦＯ部６２０に格納されたデータシンボルは、第４のクロック分周器６１２が提供する第４のＦＩＦＯ部６２０のリードクロック（Ｆｃｋ／３）により読み出され、逆シンボルマッパー６２２に提供される。
ここで、前記第２のクロック分周器４１２が出力するリードクロック（Ｆｃｋ／３）のレートは、ライトクロック（（ｎ／ｍ）Ｆｃｋ／３）のレートより低く設定される。
【００４３】
前記逆シンボルマッパー６２２は、前記第４のＦＩＦＯ部６２０が提供するデータシンボルをビットストリームに逆シンボルマッピングして、ビットストリームを３ビット単位で並列出力する。
前記３ビットで並列出力されるビットストリームは、逆ランダム化部６２４に入力される。
前記逆ランダム化部６２４は、第１〜第３の逆ランダム化部６２６〜６３０から構成され、前記逆シンボルマッパー６２２の３つの出力端にそれぞれ連結される。
前記第１〜第３の逆ランダム化部６２６〜６３０の構成は全て同一であるため、第１の逆ランダム化部６２６の構成のみを、図１０を参照して説明する。
【００４４】
前記第１の逆ランダム化部６２６は、第４〜第６の排他的ＯＲゲート（ＸＯＲ４〜ＸＯＲ６）と、第１１〜第２０のＤ−フリップフロップ（Ｄ１１〜Ｄ２０）とから構成される。
前記第１の逆ランダム化部６２６は、（５）式及び（６）式によりデジタルデータの逆ランダム化を遂行する。
Ｇ２（Ｘ）＝Ｘ＋１                ……（５）
Ｇ１（Ｘ）＝Ｘ9＋Ｘ4＋１          ……（６）
【００４５】
上記逆ランダム化され出力されるビットストリームは、並列−直列変換部６３２に入力される。
前記並列−直列変換部６３２は、入力された３ビット並列ビットストリームを直列に変換して、壁掛けテレビジョン受像機等に提供する。
【産業上の利用可能性】
【００４６】
上述したように、本発明は常用化及び小型化されており、価格も安価なアナログ無線送受信機を利用して大量のデジタルデータを無線で送受信できるという利点がある。
【図面の簡単な説明】
【００４７】
【図１】従来の無線送受信装置のブロック構成図である。
【図２】本発明の実施態様に係るデータシンボルフォーマットを示す図である。
【図３】本発明の第１の実施態様に係る無線送信装置のブロック構成図である。
【図４】図３の無線送信装置の処理過程を概略的に示す図である。
【図５】本発明の第１の実施態様に係る無線受信装置のブロック構成図である。
【図６】図４の無線受信装置の処理過程を概略的に示す図である。
【図７】本発明の第２の実施態様に係る無線送信装置のブロック構成図である。
【図８】図７の第１ランダム化部の詳細回路図である。
【図９】本発明の第２の実施態様に係る無線受信装置のブロック構成図である。
【図１０】図９の第１逆ランダム化部の詳細回路図である。
【図１】
0004552057.tif 000002
【図２】
0004552057.tif 000003
【図３】
0004552057.tif 000004
【図４】
0004552057.tif 000005
【図５】
0004552057.tif 000006
【図６】
0004552057.tif 000007
【図７】
0004552057.tif 000008
【図８】
0004552057.tif 000009
【図９】
0004552057.tif 000010
【図１０】
0004552057.tif 000011